(57)【要約】【課題】  複数のキャリア情報を自動的に関連付け、外線ユニットの設定を変更するだけでキーテレフォンシステム内のデータに反映することが可能なキーテレフォンシステムを提供する。【解決手段】  本発明のキーテレフォンシステム（１）は、複数のキャリアを収容できる外線ユニット（１２）を収容する。本発明のキーテレフォンシステム（１）は、外線ユニット（１２）から受け取った複数のキャリアの情報をメディア能力別にグループ化するデータ変換制御手段（データ変換制御部１１）と、データ変換制御手段（データ変換制御部１１）でグループ化されたキャリアの情報を格納する格納手段（メインメモリ１３）とを有する。【選択図】      図１
2010153949.tif 000002
【特許請求の範囲】
【請求項１】
複数のキャリアを収容できる外線ユニットを収容するキーテレフォンシステムであって、
前記外線ユニットから受け取った複数のキャリアの情報をメディア能力別にグループ化するデータ変換制御手段と、前記データ変換制御手段でグループ化された前記キャリアの情報を格納する格納手段とを有することを特徴とするキーテレフォンシステム。
【請求項２】
前記外線ユニットは、外線のキャリア種別をセットするキャリア名称と、前記キャリアが持つ能力を示すメディア能力と、前記キャリアが持つチャネル数を示すチャネル情報とを前記キャリアの情報として管理することを特徴とする請求項１記載のキーテレフォンシステム。
【請求項３】
前記データ変換制御手段は、前記外線ユニットから受信した前記キャリア名称と前記チャネル情報とを前記メディア能力別にグループ化することを特徴とする請求項１または請求項２記載のキーテレフォンシステム。
【請求項４】
前記格納手段は、回線毎に前記回線の種別と前記回線が属するグループとを前記グループ化された前記キャリアの情報として格納することを特徴とする請求項１から請求項３のいずれか記載のキーテレフォンシステム。
【請求項５】
前記データ変換制御手段は、前記外線ユニットの活性時または設定変更時に前記キャリアの情報を前記メディア能力別にグループ化することを特徴とする請求項１から請求項４のいずれか記載のキーテレフォンシステム。
【請求項６】
複数のキャリアを収容できる外線ユニットを収容するキーテレフォンシステムに用いるデータ変換制御装置であって、
前記外線ユニットから受け取った複数のキャリアの情報をメディア能力別にグループ化して当該グループ化した前記キャリアの情報を格納手段に格納する制御手段を有することを特徴とするデータ変換制御装置。
【請求項７】
前記制御手段は、前記外線ユニットで管理しかつ外線のキャリア種別をセットするキャリア名称と、前記外線ユニットで管理しかつ前記キャリアが持つチャネル数を示すチャネル情報とを前記メディア能力別にグループ化することを特徴とする請求項６記載のデータ変換制御装置。
【請求項８】
前記制御手段は、前記格納手段に、回線毎に前記回線の種別と前記回線が属するグループとを前記グループ化された前記キャリアの情報として格納することを特徴とする請求項６または請求項７記載のデータ変換制御装置。
【請求項９】
前記制御手段は、前記外線ユニットの活性時または設定変更時に前記キャリアの情報を前記メディア能力別にグループ化することを特徴とする請求項６から請求項８のいずれか記載のデータ変換制御装置。
【請求項１０】
複数のキャリアを収容できる外線ユニットを収容するキーテレフォンシステムに用いる自動設定方法であって、
前記外線ユニットから受け取った複数のキャリアの情報をメディア能力別にグループ化するデータ変換制御処理と、前記データ変換制御手段でグループ化された前記キャリアの情報を格納手段に格納する処理とを有することを特徴とする自動設定方法。
【請求項１１】
前記外線ユニットが、外線のキャリア種別をセットするキャリア名称と、前記キャリアが持つ能力を示すメディア能力と、前記キャリアが持つチャネル数を示すチャネル情報とを前記キャリアの情報として管理することを特徴とする請求項１０記載の自動設定方法。
【請求項１２】
前記データ変換制御処理において、前記外線ユニットから受信した前記キャリア名称と前記チャネル情報とを前記メディア能力別にグループ化することを特徴とする請求項１０または請求項１１記載の自動設定方法。
【請求項１３】
前記格納手段に、回線毎に前記回線の種別と前記回線が属するグループとを前記グループ化された前記キャリアの情報として格納することを特徴とする請求項１０から請求項１２のいずれか記載の自動設定方法。
【請求項１４】
前記データ変換制御処理において、前記外線ユニットの活性時または設定変更時に前記キャリアの情報を前記メディア能力別にグループ化することを特徴とする請求項１０から請求項１３のいずれか記載の自動設定方法。
【発明の詳細な説明】
【技術分野】
【０００１】
本発明はキーテレフォンシステム、データ変換制御装置及びそれらに用いる自動設定方法に関し、特にキーテレフォンシステムにおいて外線ユニットを収容する際の設定に関する。
【背景技術】
【０００２】
近年、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線に代表される０５０ＩＰ（Ｉｎｔｅｒｎｅｔ  Ｐｒｏｔｏｃｏｌ）電話（音声通信）と、ひかり電話ネクストに代表される高付加価値電話サービス（映像通信）とを同時に使用する必要性がでてきている。
【０００３】
上記のキーテレフォンシステムでは、例えばＡＤＳＬ等のブロードバンド回線で通信事業者（キャリア）の設備に接続し、自システムに収容する複数の端末のための通話チャネルをブロードバンド回線に設定することができる（例えば、特許文献１参照）。
【０００４】
また、上記の外線ユニットは、収容したブロードバンド回線を用いて、ＩＰネットワークを介した音声（高音質通話を含む）及び映像相互通話を可能とする機能を備えている。
【０００５】
【特許文献１】特開２００７−１４２５４１号公報
【発明の開示】
【発明が解決しようとする課題】
【０００６】
本発明に関連するキーテレフォンシステムでは、１つのキャリア情報を自動的に関連付けることだけしかできないという課題がある。
【０００７】
また、本発明に関連するキーテレフォンシステムでは、複数キャリアの設定をする場合、外線ユニットのデータとシステム内のデータとの双方を設定する必要があるという課題がある。
【０００８】
そこで、本発明の目的は上記の問題点を解消し、複数のキャリア情報を自動的に関連付けることができ、外線ユニットの設定を変更するだけでキーテレフォンシステム内のデータに反映することができるキーテレフォンシステム、データ変換制御装置及びそれらに用いる自動設定方法を提供することにある。
【課題を解決するための手段】
【０００９】
本発明によるキーテレフォンシステムは、複数のキャリアを収容できる外線ユニットを収容するキーテレフォンシステムであって、
前記外線ユニットから受け取った複数のキャリアの情報をメディア能力別にグループ化するデータ変換制御手段と、前記データ変換制御手段でグループ化された前記キャリアの情報を格納する格納手段とを備えている。
【００１０】
本発明によるデータ変換制御装置は、複数のキャリアを収容できる外線ユニットを収容するキーテレフォンシステムに用いるデータ変換制御装置であって、
前記外線ユニットから受け取った複数のキャリアの情報をメディア能力別にグループ化して当該グループ化した前記キャリアの情報を格納手段に格納する制御手段を備えている。
【００１１】
本発明による自動設定方法は、複数のキャリアを収容できる外線ユニットを収容するキーテレフォンシステムに用いる自動設定方法であって、
前記外線ユニットから受け取った複数のキャリアの情報をメディア能力別にグループ化するデータ変換制御処理と、前記データ変換制御手段でグループ化された前記キャリアの情報を格納手段に格納する処理とを備えている。
【発明の効果】
【００１２】
本発明は、上記のような構成及び動作とすることで、複数のキャリア情報を自動的に関連付けることができ、外線ユニットの設定を変更するだけでキーテレフォンシステム内のデータに反映することができるという効果が得られる。
【発明を実施するための最良の形態】
【００１３】
次に、本発明の実施の形態について図面を参照して説明する。まず、本発明によるキーテレフォンシステムの概略について説明する。本発明によるキーテレフォンシステムでは、例えばＡＤＳＬ（Ａｓｙｍｍｅｔｒｉｃ  Ｄｉｇｉｔａｌ  Ｓｕｂｓｃｒｉｂｅｒ  Ｌｉｎｅ）等のブロードバンド回線で通信事業者（キャリア）の設備に接続し、自システムに収容する複数の端末のための通話チャネルをブロードバンド回線に設定することができる。
【００１４】
本発明によるキーテレフォンシステムは、複数キャリアを収容することができる外線ユニットの活性時または設定変更時に、その外線ユニットに設定されたデータをデータ変換制御部に通知することで、複数キャリアの情報をキーテレフォンシステムのデータに自動的に設定することを特徴とする。
【００１５】
また、外線ユニットは、収容したブロードバンド回線を用いて、ＩＰ（Ｉｎｔｅｒｎｅｔ  Ｐｒｏｔｏｃｏｌ）ネットワークを介した音声（高音質通話を含む）及び映像相互通話を可能とする機能を備えている。
【００１６】
本発明によるキーテレフォンシステムは、外線ユニットの活性時または設定変更時に、外線ユニットから受信したキャリアの情報をメディア能力別にグループ化し、キーテレフォンシステムのメモリに自動的に格納する。
【００１７】
これによって、本発明によるキーテレフォンシステムでは、キャリアの追加・削除・変更が外線ユニットのデータを設定するだけでキーテレフォンシステムに自動的に反映させることができ、メンテナンス性を向上させることができる。
【００１８】
また、本発明によるキーテレフォンシステムでは、複数のキャリアを使用して呼制御を行う際に、メディア能力別にグループ化しているため、運用がしやすくなる。
【００１９】
さらに、本発明によるキーテレフォンシステムでは、遠隔操作にて外線ユニットの設定を変更するだけで、キーテレフォンシステム内のデータに反映することができる。
【００２０】
図１は本発明の第１の実施の形態によるキーテレフォンシステムの構成例を示すブロック図である。図１において、本発明の第１の実施の形態によるキーテレフォンシステム１は、データ変換制御部１１と、外線ユニット１２と、メインメモリ１３とを備えている。
【００２１】
外線ユニット１２は、「キャリア名称」と「メディア能力」と「チャネル情報」とを管理し、サブメモリ１２１にキャリアの情報としてキャリア毎にメディアの能力と使用可能なチャネル数とを格納している。つまり、サブメモリ１２１は、キャリア名称１２１ａとメディア能力１２１ｂとチャネル情報１２１ｃとを格納している。
【００２２】
また、キーテレフォンシステム１は、「回線グループ」と「回線種別」とを管理し、メインメモリ１３に回線毎に回線の種別と回線が属するグループとを格納している。つまり、メインメモリ１３は、回線グループ１３ａと回線種別１３ｂとを格納している。
【００２３】
ここで、「キャリア名称」は、外線のキャリア種別をセットする情報であり、「メディア能力」は、キャリアが持つ能力であり、「チャネル情報」は、キャリアが持つチャネル数である。また、「回線グループ」は、キャリア毎に区別するための情報であり、「回線種別」は、回線の種別をセットする情報である。
【００２４】
図２は本発明の第１の実施の形態によるキーテレフォンシステム１の動作を説明するための図であり、図３は図２のデータ変換制御部１１によるデータ変換動作を示すフローチャートである。これら図１〜図３を参照して本発明の第１の実施の形態によるキーテレフォンシステム１の動作について説明する。尚、図２に示すように、キーテレフォンシステム１には、電話機（Ａ）２−１と、電話機（Ｂ）２−２とが接続されている。
【００２５】
外線ユニット１２では、複数のキャリアを収容した場合、キャリアの情報を設定した際にキャリア名称とメディア能力とチャネル情報とをサブメモリ１２１に格納する［図２の（１）参照］。外線ユニット１２は、サブメモリ１２１に格納したデータを伝送経路でデータ変換制御部１１へ転送する［図２の（２）参照］。
【００２６】
データ変換制御部１１は、外線ユニット１２から受信したキャリア情報のキャリア名称とチャネル情報とをメディア能力別にグループ化する［図２の（３）参照］。
【００２７】
以下、図３を参照してデータ変換制御部１１によるデータ変換動作について説明する。まず、データ変換制御部１１は、グループのキャリア名称を判断する（図３ステップＳ１）。
【００２８】
データ変換制御部１１は、グループのキャリア名称がキャリアＡの場合、回線種別Ａに変換し（図３ステップＳ２）、回線＃１〜＃３を回線種別Ａとする（図３ステップＳ３）。
【００２９】
データ変換制御部１１は、グループのキャリア名称がキャリアＢの場合、回線種別Ａに変換し（図３ステップＳ４）、回線＃４〜＃６を回線種別Ａとする（図３ステップＳ５）。
【００３０】
データ変換制御部１１は、グループのキャリア名称がキャリアＣの場合、回線種別Ａに変換し（図３ステップＳ６）、回線＃７〜＃９を回線種別Ａとする（図３ステップＳ７）。
【００３１】
データ変換制御部１１は、グループのキャリア名称がキャリアＤの場合、回線種別Ｂに変換し（図３ステップＳ８）、回線＃１０〜＃１２を回線種別Ｂとする（図３ステップＳ９）。
【００３２】
次に、データ変換制御部１１は、メディア能力を判断する（図３ステップＳ１０）。データ変換制御部１１は、メディア能力が映像・高音質であれば、グループ＃１に変換し（図３ステップＳ１１）、回線＃１〜＃３をグループ＃１とする（図３ステップＳ１２）。
【００３３】
データ変換制御部１１は、メディア能力が映像・低音質であれば、グループ＃２に変換し（図３ステップＳ１３）、回線＃４〜＃６をグループ＃２とする（図３ステップＳ１４）。
【００３４】
データ変換制御部１１は、メディア能力が高音質であれば、グループ＃３に変換し（図３ステップＳ１５）、回線＃７〜＃９をグループ＃３とする（図３ステップＳ１６）。
【００３５】
データ変換制御部１１は、メディア能力が通常音質であれば、グループ＃４に変換し（図３ステップＳ１７）、回線＃１０〜＃１２をグループ＃４とする（図３ステップＳ１８）。
【００３６】
データ変換制御部１１は、上記のようにしてグループ化したデータを、伝送経路でメインメモリ１３に転送して格納する［図２の（４）参照］。
【００３７】
例えば、外線ユニット１２のサブメモリ１２１に、図２に示すように、「キャリア名称」、「メディア能力」、「チャネル情報」として、「キャリアＡ、映像・高音質、チャネル＃１〜＃３」、「キャリアＢ、映像・通常音質、チャネル＃４〜＃６」、「キャリアＣ、高音質、チャネル＃７〜＃９」、「キャリアＤ、通常音質、チャネル＃１０〜＃１２」が格納されたものとする。
【００３８】
この場合、メインメモリ１３には、「回線番号」が「１」の場合、「回線種別」として「種別Ａ」、「回線グループ」として「グループ＃１」が格納される。「回線番号」が「２」の場合は、「回線種別」として「種別Ａ」、「回線グループ」として「グループ＃１」が格納される。「回線番号」が「３」の場合は、「回線種別」として「種別Ａ」、「回線グループ」として「グループ＃１」が格納される。
【００３９】
「回線番号」が「４」の場合は、「回線種別」として「種別Ａ」、「回線グループ」として「グループ＃２」が格納される。「回線番号」が「５」の場合は、「回線種別」として「種別Ａ」、「回線グループ」として「グループ＃２」が格納される。「回線番号」が「６」の場合、「回線種別」として「種別Ａ」、「回線グループ」として「グループ＃２」が格納される。
【００４０】
「回線番号」が「７」の場合、「回線種別」として「種別Ａ」、「回線グループ」として「グループ＃３」が格納される。「回線番号」が「８」の場合、「回線種別」として「種別Ａ」、「回線グループ」として「グループ＃３」が格納される。「回線番号」が「９」の場合、「回線種別」として「種別Ａ」、「回線グループ」として「グループ＃３」が格納される。
【００４１】
「回線番号」が「１０」の場合、「回線種別」として「種別Ｂ」、「回線グループ」として「グループ＃４」が格納される。「回線番号」が「１１」の場合、「回線種別」として「種別Ｂ」、「回線グループ」として「グループ＃４」が格納される。「回線番号」が「１２」の場合、「回線種別」として「種別Ｂ」、「回線グループ」として「グループ＃４」が格納される。
【００４２】
このように、本実施の形態では、外線ユニット１２のデータを設定するだけで、キャリアの追加・削除・変更をキーテレフォンシステム１に自動的に反映することができるので、メンテナンス性を向上させることができる。
【００４３】
また、本実施の形態では、複数のキャリアを使用して呼制御を行う際に、キャリアがメディア能力別にグループ化されているため、運用がしやすくなる。
【００４４】
さらに、本実施の形態では、遠隔操作にて外線ユニット１２の設定を変更するだけで、キーテレフォンシステム１内のメインメモリ１３のデータに反映することができる。
【図面の簡単な説明】
【００４５】
【図１】本発明の第１の実施の形態によるキーテレフォンシステムの構成例を示すブロック図である。
【図２】本発明の第１の実施の形態によるキーテレフォンシステムの動作を説明するための図である。
【図３】図２のデータ変換制御部によるデータ変換動作を示すフローチャートである。
【符号の説明】
【００４６】
１  キーテレフォンシステム
２−１  電話機（Ａ）
２−２  電話機（Ｂ）
１１  データ変換制御部
１２  外線ユニット
１３  メインメモリ
１３ａ  回線グループ
１３ｂ  回線種別
１２１  サブメモリ
１２１ａ  キャリア名称
１２１ｂ  メディア能力
１２１ｃ  チャネル情報
【図１】
2010153949.tif 000003
【図２】
2010153949.tif 000004
【図３】
2010153949.tif 000005